(57)【要約】【課題】 引き剥がしに利用する摘み部について、梃子の原理が適用できるような構造として、容器本体に対してシールされた蓋体の摘み部による引き剥がしをより一層簡単に行うことのできるイージーオープン容器を簡単な構成によって提供すること。【解決手段】開口部にシールフランジ１１を有する容器本体１０と、シールフランジ１１上に重ねられるシールフランジ２１を有する蓋体２０とからなり、この蓋体２０を、両シールフランジ１１・２１にてシールしながら容器本体１０に嵌合して一体化するとともに、蓋体２０側に一体化した摘み部２２を利用して開放を行うようにしたイージーオープン容器１００であって、摘み部２２を、蓋体２０側のシールフランジ２１の外側に、下方に傾斜する傾斜面２３を介して一体的に形成したこと。【選択図】図１
2005082238.tif 000002
【特許請求の範囲】
【請求項１】
開口部にシールフランジを有する容器本体と、前記シールフランジ上に重ねられるシールフランジを有する蓋体とからなり、この蓋体を、前記両シールフランジにてシールしながら前記容器本体に嵌合して一体化するとともに、前記蓋体側に一体化した摘み部を利用して開放を行うようにしたイージーオープン容器であって、
前記摘み部を、前記蓋体側のシールフランジの外側に、下方に傾斜する傾斜部を介して一体的に形成したことを特徴とするイージーオープン容器。
【請求項２】
前記傾斜部は、前記シールフランジに対して点または部分的に連なり、かつ前記摘み部に対してはその略全幅によって連なるようにしたことを特徴とする請求項１に記載のイージーオープン容器。
【請求項３】
前記両シールフランジを円形状または楕円状の環状のものとし、かつ、前記容器本体の側壁の横断面形状を多角形状となるようにしたことを特徴とする請求項１または請求項２に記載のイージーオープン容器。
【請求項４】
前記蓋体の天板部に、多角形状にした前記容器本体の側壁内に嵌合され１つの辺を有した凹所を形成するとともに、この辺を前記天板部の中心側に偏在させ、この偏在辺側の略中心に前記摘み部を形成したことを特徴とする請求項３に記載のイージーオープン容器。
【請求項５】
前記両シールフランジを円形状または楕円状の環状のものとし、かつ、前記容器本体の側壁の横断面形状を略円形状または楕円状となるようにしたことを特徴とする請求項１または請求項２に記載のイージーオープン容器。
【請求項６】
前記側壁を、前記容器本体の底面外周に略波形に形成した境界線を介して立ち上げることにより、当該側壁に前記境界線の山部及び谷部に対応した凸条及び凹条を形成し、かつこれらの凸条及び凹条の各上方に位置することになる谷部及び山部を有した上方側壁を前記シールフランジの直下に形成して、さらに、この上方側壁と前記側壁の上端とを接続面によって連続させたことを特徴とする請求項１〜請求項５のいずれかに記載のイージーオープン容器。
【発明の詳細な説明】
【技術分野】
【０００１】
本発明は、つけもの等の収納物を液汁ごと密閉して包装するための、容器本体とこれに嵌合される蓋体とからなるイージーオープン容器に関し、特に容器本体に対して（ヒート）シールした蓋体を手で引き剥すようにしたイージーオープン容器に関するものである。
【背景技術】
【０００２】
容器本体に対して蓋体を（ヒート）シールして構成されるイージーオープン容器は、つけもの等の惣菜を液汁ごと密閉できるものであり、惣菜の味を低下させないで収納しておくことができるものであるから、近年盛んに利用されているものである。この種のイージーオープン容器は、その中に収納したつけもの等は勿論、その液汁が洩れ出ないようにするため、容器本体に対するシール性を十分なものとする必要性があるものであり、これとは逆に、中味であるつけもの等を取り出す場合には、その蓋体が容器本体から簡単に剥がれなければならないものである。
【０００３】
また、この種のイージーオープン容器は、上述したように、つけもの等を液汁ごと密閉して包装するものであり、つけもの等を取り出す場合に、図６に示すような「水切り」を行いたい場合がある。当然、この「水切り」作業時に、中身のつけもの等が液汁と一緒に出てしまうようでは困るものである。
【０００４】
そこで、出願人は、特許文献１にて、蓋体の引き剥がしが簡単に行え、しかも水切り作業が簡単に行えるようにするために、
「液洩れを防止した略角形状のイージーオープン密閉容器を構成する容器本体のフランジ上面にシールフランジにてシールされ、このシールフランジの内側になる蓋本体部が前記容器本体内に陥没する蓋体であって、
この蓋体の少なくとも１つのコーナー部に、前記容器本体側の膨出係合部材に係合する膨出係合部と、この膨出係合部を囲んで前記蓋本体部に到る傾斜面と、この傾斜面の両側に位置して前記容器本体の上端開口内に嵌合される垂直壁とを形成し、
かつ、当該コーナー部にシールフランジから略水平に突出するつまみ舌片を一体的に形成したイージーオープン密閉容器のための蓋体」
を提供したのである。
【０００５】
この特許文献１の発明によれば、収納物を収納している間は、蓋体の容器本体に対するシール作業性及びシール性を十分なものとすることができて、蓋体の一部を引き剥して水切り口を形成したときの蓋体の形状維持を確実にして水切作業を容易に行うことができ、しかも蓋体の引き剥しを簡単に行うことのできるイージーオープン密閉容器を提供することができたのである。
【特許文献１】特許第２８８１２９０号掲載公報
【発明の開示】
【発明が解決しようとする課題】
【０００６】
しかしながら、上記特許文献１の発明も気付いていない点がある。それは、「シールフランジから略水平に突出するつまみ舌片」を形成した場合、「梃子の原理」をうまく利用できないことである。つまり、「つまみ舌片」をシールフランジから略水平に突出させると、シールフランジにつまみ舌片による力を直接加えることはできるが、逆に言えば力を直接加えなければならないということになって、引き剥がしのために力が必要になるということである。
【０００７】
そこで、本発明者は、この種のイージーオープン容器において、その蓋体の引き剥がしのための力をさらに小さくできるようにするにはどうしたらよいか、について種々検討を重ねてきた結果、シールされたものは、部分的であれ引き剥がされたとき、これが「きっかけ」となって次の引き剥がしが連続的に行えることに気付き、本発明を完成したのである。
【０００８】
すなわち、まず、請求項１に係る発明の目的とするところは、引き剥がしに利用する摘み部について、梃子の原理が適用できるような構造として、容器本体に対してシールされた蓋体の摘み部による引き剥がしをより一層簡単に行うことのできるイージーオープン容器を簡単な構成によって提供することにある。
【０００９】
また、請求項２に係る発明の目的とするところは、請求項１の発明と同様な目的を達成できるようにする他、「梃子の原理」をさらに確実に利用できるようにすることであり、請求項３及び請求項５に係る発明の目的とするところは、請求項１または請求項２の発明と同様な目的を達成できるようにする他、容器全体の剛性を高めて、引き剥がし作業をより確実に行えるようにすることである。
【００１０】
さらに、請求項４に係る発明の目的とするところは、請求項１〜請求項３のいずれかの発明と同様な目的を達成できるようにする他、液汁を排出する場合の「水切り」を完全に行えるようにすることのできるイージーオープン容器を簡単な構成によって提供することにある。
【００１１】
そして、請求項６に係る発明の目的とするところは、請求項１〜請求項５のいずれかの発明と同様な目的を達成できるようにする他、水切りの際に、内容物が液汁と一緒に出ないようにすることのできるイージーオープン容器を簡単な構成によって提供することにある。
【課題を解決するための手段】
【００１２】
以上の課題を解決するために、まず、請求項１に係る発明の採った手段は、後述する最良形態の説明中において使用する符号を付して説明すると、
「開口部にシールフランジ１１を有する容器本体１０と、シールフランジ１１上に重ねられるシールフランジ２１を有する蓋体２０とからなり、この蓋体２０を、両シールフランジ１１・２１にてシールしながら容器本体１０に嵌合して一体化するとともに、蓋体２０側に一体化した摘み部２２を利用して開放を行うようにしたイージーオープン容器１００であって、
摘み部２２を、蓋体２０側のシールフランジ２１の外側に、下方に傾斜する傾斜面２３を介して一体的に形成したことを特徴とするイージーオープン容器１００」
である。
【００１３】
すなわち、この請求項１のイージーオープン容器１００は、開口部にシールフランジ１１を有する容器本体１０と、シールフランジ１１上に重ねられるシールフランジ２１を有する蓋体２０とからなるものであり、蓋体２０を、両シールフランジ１１・２１にてシールしながら容器本体１０に嵌合して一体化するとともに、蓋体２０側に一体化した摘み部２２を利用して開放を行うようにしたものである。
【００１４】
そして、このイージーオープン容器１００においては、図１、図２、及び図４に示すように、引き剥がしの際に利用する摘み部２２を、蓋体２０側のシールフランジ２１の外側に、下方に傾斜する傾斜面２３を介して一体的に形成したのである。
【００１５】
以上のように構成したイージーオープン容器１００は、次のようにして、つけもの等の収納物の詰め込み、販売のための展示、そして消費者による蓋体２０の摘み部２２による引き剥がしが行われる。
【００１６】
まず、収納物の詰め込みであるが、容器本体１０内につけもの等をその液汁とともに入れた後、蓋体２０を当該容器本体１０に嵌合する。収納物の詰め込み作業をする前の容器本体１０と蓋体２０は、その多数を積み重ねた状態にしておき、一箇所で詰め込み作業を連続的に行えるようにしているのであるが、容器本体１０にも蓋体２０にも公知の「ブロッキング防止構造」が付してあるから、容器本体１０や蓋体２０の個別の取り出しは問題なくなされる。
【００１７】
つけもの等を入れた容器本体１０に蓋体２０を嵌合したものは、（ヒート）シール機に向けて搬送される。この場合、容器本体１０側のシールフランジ１１に対して、蓋体２０側のシールフランジ２１が嵌合した状態にあるから、搬送途中に揺れがあっても、中の液汁が外に漏れ出ることは殆どない。また、後述する最良形態の容器本体１０及び蓋体２０の各シールフランジ１１・２１は、「円環状」という汎用性の高い形状のものに形成してあるから、通常の（ヒート）シール機に掛けて（ヒート）シールが行える。なお、ヒートシ−ルにあたっては、容器本体１０のシールフランジ１１上に接着剤等を予め塗布しておくことがなされることもある。
【００１８】
なお、最良形態の容器本体１０及び蓋体２０において、図４に示すように、その各シールフランジ１１・２１の外周に垂下フランジ１１ａ・２１ａを形成したから、これらの垂下フランジ１１ａ・２１ａによって剛性が高くなり、両者の嵌合が安定的に行えるのである。勿論、これらの垂下フランジ１１ａ・２１ａの端部は同一位置でカットしてあるため、金型を簡単なものとすることができて、成形不良も少ないものとすることができるのである。
【００１９】
以上のようにして詰め込みが完了したイージーオープン容器１００は、陳列棚上等に展示されるが、その場合複数のイージーオープン容器１００を積み重ねることがなされる。最良形態の蓋体２０には、その天板２０ａに凹所２４が形成してあるから、上側のイージーオープン容器１００の底部がこの凹所２４内に載置されるため、消費者の取り出し等による衝撃程度では、積み重ねた各イージーオープン容器１００が崩れ落ちることはないし、ヒートシール時の熱が天板２０ａに直接係ることがなく、この天板２０ａに軟化によるシワや曇りが発生することはないのである。
【００２０】
このイージーオープン容器１００を購入した消費者は、中身を取り出すために、蓋体２０を剥がさなければならないが、その作業は摘み部２２を利用することにより行われる。摘み部２２は、図１に示すように、蓋体２０の外周から大きく突出しているため、この突出した摘み部２２を利用すれば、蓋体２０の引き剥がしが行えることを簡単に理解できる。勿論、この摘み部２２は、図４に示すように、容器本体１０の外周からも突出しているから、その「摘み」も簡単に行える。
【００２１】
さて、消費者がこの摘み部２２を摘んで引き上げた場合、この摘み部２２は、図２及び図４に示すように、傾斜面２３を介してシールフランジ２１に連続しているから、当該摘み部２２の引き上げ力がシールフランジ２１に伝えられるに際して、この傾斜面２３が「梃子」の作用を発揮する。つまり、摘み部２２を引き上げると、シールフランジ２１の外周に一体的に形成してある垂下フランジ２１ａの、この摘み部２２の左右に位置する部分が摘み部２２によって引き上げられようとし、同時に、傾斜面２３に連続しているシールフランジ２１の部分に引き剥がし力が加わるのである。このとき、摘み部２２は梃子の作用をしているから、摘み部２２に対する小さな引き上げ力、例えば親指等による摘み部２２の押し上げ力によって、傾斜面２３に連続しているシールフランジ２１の部分の引き剥がしが、部分的になされる。
【００２２】
勿論、傾斜面２３によるシールフランジ２１への連続は、部分的なものであっても、上述した機能は十分発揮するものである。梃子の原理を応用する上、及び「きっかけ」作りをする上では、この連続部分は小さい方がよいが、「線」であってもよいものである。
【００２３】
このシールフランジ２１の部分的な引き剥がしができれば、これを「きっかけ」として、摘み部２２のさらなる引き上げによって、その両側に連なっているシールフランジ２１の引き剥がしが、小さな力で次々と行えるのである。
【００２４】
従って、この請求項１のイージーオープン容器１００は、摘み部２２に傾斜面２３を形成したことによって、蓋体２０の引き剥がしのための「きっかけ」作りを簡単に行うことができ、この「きっかけ」をもとに、蓋体２０全体の引き剥がしが簡単に行えるものとなっているのである。
【００２５】
上記課題を解決するために、請求項２に係る発明の採った手段は、上記請求項１のイージーオープン容器１００について、
「傾斜部２３は、シールフランジ２１に対して点または部分的に連なり、かつ摘み部２２に対してはその略全幅によって連なるようにしたこと」
である。
【００２６】
すなわち、この請求項２に係るイージーオープン容器１００では、傾斜部２３は、シールフランジ２１に対して点または部分的に連なり、かつ摘み部２２に対してはその略全幅によって連なっているものである。
【００２７】
さて、消費者がこの摘み部２２を摘んで引き上げた場合、この摘み部２２は、図２及び図４に示すように、傾斜面２３の連続部２３ａを介してシールフランジ２１に連続しているから、当該摘み部２２の引き上げ力がシールフランジ２１に伝えられるに際して連続部２３ａを介して集中されることになる。このため、「きっかけ」作りのためのシールフランジ２１の部分的な引き剥がしが効果的になされ、傾斜面２３の「梃子」の作用が十分発揮されることになるのである。
【００２８】
つまり、摘み部２２を引き上げると、シールフランジ２１の外周に一体的に形成してある垂下フランジ２１ａの、この摘み部２２の左右に位置する部分が摘み部２２によって引き上げられようとし、同時に、傾斜面２３に連続部２３ａを介して連続しているシールフランジ２１の部分に引き剥がし力が集中的に加わるのである。このとき、摘み部２２は梃子の作用をしているから、摘み部２２に対する小さな引き上げ力、例えば親指等による摘み部２２の押し上げ力によって、傾斜面２３の連続部２３ａに連続しているシールフランジ２１の部分の引き剥がしが、集中的になされるのである。
【００２９】
また、この摘み部２２に傾斜面２３が形成してあったから、この摘み部２２は従来一般的な平らなものではなく裏側に凹み部分を有するものとなっている。このため、当該摘み部２２に指を掛けたとき、この指がその凹み部分に入るため、当該摘み部２２の摘みが容易に行えるだけでなく、上面が傾斜面２３によって山型になっているため、当該イージーオープン容器１００の多数を入れておく段ボール箱の屑などが付着しにくいものとなっているのである。
【００３０】
勿論、傾斜面２３の連続部２３ａによるシールフランジ２１への連続は、部分的なものであっても、上述した機能は十分発揮するものである。梃子の原理を応用する上、及び「きっかけ」作りをする上では、この連続部２３ａは小さい方がよいが、例えば５ｍｍ程度の長さの「線」であってもよいものである。
【００３１】
このシールフランジ２１の部分的な引き剥がしができれば、これを「きっかけ」として、摘み部２２のさらなる引き上げによって、その両側に連なっているシールフランジ２１の引き剥がしが、小さな力で次々と行えるのであることは、上述した請求項１のイージーオープン容器１００と同様である。
【００３２】
従って、この請求項２のイージーオープン容器１００は、摘み部２２を傾斜面２３の連続部２３ａによってシールフランジ２１に連続させたことによって、蓋体２０の引き剥がしのための力を集中させることができて、「きっかけ」作りを簡単に行うことができ、この「きっかけ」をもとに、蓋体２０全体の引き剥がしがさらに簡単に行えるものとなっているのである。
【００３３】
上記課題を解決するために、請求項３に係る発明の採った手段は、上記請求項１または請求項２のイージーオープン容器１００について、
「両シールフランジ１１・２１を円形状または楕円状の環状のものとし、かつ、容器本体１０の側壁１２の横断面形状を多角形状となるようにしたこと」
である。
【００３４】
すなわち、この請求項３に係るイージーオープン容器１００では、図１及び図３に示すように、容器本体１０と蓋体２０とを嵌合してシールするための両シールフランジ１１・２１を円形状または楕円状の環状のものとしたのに対し、図３に示すように、容器本体１０の側壁１２の横断面形状を多角形状となるようにしたものである。
【００３５】
両シールフランジ１１・２１が円形状または楕円状の環状のものとしてあることにより、前述したように、通常のヒートシール機に十分掛けられるのであり、新たな設備投資をしなくても、従来から使用しているヒートシール機によってヒートシールを行うことができる。
【００３６】
これに対して、容器本体１０の側壁１２の横断面形状が多角形状（最良形態では八角形）となるようにしたから、各辺の両端から上下方向に伸びることになる稜線が補強用の「リブ」の役目を果たすことになり、全体として剛性の高いものとなっているのである。しかも、容器本体１０の側壁１２の横断面形状を多角形状となるようにしたから、側壁１２に稜線が形成され、この稜線が当該イージーオープン容器１００を手で持ったときの滑り止めの役目を果たすことになりるため、当該イージーオープン容器１００が持ちやすいものとなるのである。
【００３７】
イージーオープン容器１００全体の剛性が高くなることは、蓋体２０の引き剥がし作業を容易にするものである。つまり、蓋体２０の引き剥がし作業を行うに当たっては、例えば図６に示すように、イージーオープン容器１００全体を手で掴んで摘み部２２に力を入れなければならないが、イージーオープン容器１００全体の剛性が高ければその掴みを安定的に行えるのであり、結果として、蓋体２０の引き剥がしを安定的に行えるのである。
【００３８】
勿論、このイージーオープン容器１００においては、容器本体１０と蓋体２０との各シールフランジ１１・２１が円形であるから、蓋体２０の容器本体１０に対する嵌合を方向性に限定を受けることなく行えるのであり、容器本体１０の側壁１２の横断面形状を多角形状としたから、この側壁１２の上記稜線内側が液汁を集めるための溝となり、この溝に案内されて液汁が安定して流れ出るのである。
【００３９】
従って、この請求項３に係るイージーオープン容器１００は、請求項１または請求項２のイージーオープン容器１００と同様な機能を発揮する他、全体の剛性を高めて、引き剥がし作業がより確実に行えるものとなっているのである。
【００４０】
上記課題を解決するために、請求項４に係る発明の採った手段は、上記請求項１〜請求項３のいずれかのイージーオープン容器１００について、
「蓋体２０の天板部２０ａに、多角形状にした容器本体１０の側壁１２内に嵌合されることになる凹所２４を形成するとともに、この凹所２４の一辺を天板部２０ａの中心側に偏在させ、この偏在辺２４ａ側の略中心に摘み部２２を形成したこと」
である。
【００４１】
すなわち、この請求項４に係るイージーオープン容器１００は、図１に示すように、蓋体２０の天板部２０ａに、多角形状にした容器本体１０の側壁１２内に嵌合されることになる凹所２４を形成したものである。勿論、容器本体１０の開口部内側には、図４に示すように、この凹所２４が収納して載置されることになる蓋載置部１３が形成される。この蓋載置部１３は、図３にも示すように、容器本体１０の多角形状に合わせた環状のものとなっている。
【００４２】
また、このイージーオープン容器１００の蓋体２０において、その凹所２４の一辺は、図４に示すように、天板部２０ａの中心側に偏在量Ｌ分偏在させてある。この偏在辺２４ａは、図１に示すように、一箇所だけ形成したものであり、図４に示すように、容器本体１０側の蓋載置部１３に対して偏在量Ｌ分だけ天板部２０ａの中心側に向けて偏在しているものである。この偏在辺２４ａは、図６に示した水切りを行うときに、内容物が纏まって外に出てしまわないようにするための「堰」の役目を果たすとともに、蓋体２０の引き剥がし時における折れ線形成のための起点（線）ともなるものである。
【００４３】
そして、この偏在辺２４ａが形成してあるシールフランジ２１の外側の略中心に摘み部２２を形成したのである。つまり、この偏在辺２４ａがある部分を摘み部２２によって引き剥がすことにより、図４に示すように、水切りのための空間確保が、天板部２０ａの中心側に向けて偏在している偏在辺２４ａによってなされるのであり、図６に示すような水切り作業をより一層確実にするものである。
【００４４】
従って、この請求項４に係るイージーオープン容器１００は、請求項１〜請求項３のいずれかに記載のイージーオープン容器１００と同様な機能を発揮する他、液汁を排出する場合の「水切り」が簡単かつ完全に行えるのである。
【００４５】
上記課題を解決するために、請求項５に係る発明の採った手段は、請求項１または請求項２に記載のイージーオープン容器１００について、
「両シールフランジ１１・２１を円形状または楕円状の環状のものとし、かつ、容器本体１０の側壁１２の横断面形状を円形状または楕円状となるようにしたこと」
である。
【００４６】
すなわち、この請求項５のイージーオープン容器１００は、後述の実施例２に係る容器本体１０に関連するものであり、蓋体２０のシールフランジ２１に傾斜面２３を介して摘み部２２を形成した点はそのままで、容器本体１０の側壁１２の横断面形状を円形状または楕円状となるようにしたものである。
【００４７】
このようなイージーオープン容器１００であれば、蓋体２０側の傾斜面２３による機能を十分発揮させながら、一般的な形状の容器本体１０を採用することができるのである。
【００４８】
従って、この請求項５のイージーオープン容器１００も、請求項１または請求項２に記載のイージーオープン容器１００と同様に、摘み部２２に傾斜面２３を形成したことによって、蓋体２０の引き剥がしのための「きっかけ」作りを簡単に行うことができ、この「きっかけ」をもとに、蓋体２０全体の引き剥がしが簡単に行えるものとなっているのである。
【００４９】
最後に、上記課題を解決するために、請求項６に係る発明の採った手段は、請求項１〜請求項５のいずれかに記載のイージーオープン容器１００について、
「側壁１２を、容器本体１０の底面１６外周に略波形に形成した境界線１７を介して立ち上げることにより、当該側壁１２に境界線１７の山部１７ａ及び谷部１７ｂに対応した凸条１２ａ及び凹条１２ｂを形成し、かつこれらの凸条１２ａ及び凹条１２ｂの各上方に位置することになる谷部及び山部を有した上方側壁１２ｃをシールフランジ１１の直下に形成して、さらに、この上方側壁１２ｃと側壁１２の上端とを接続面１８によって連続させたこと」
である。
【００５０】
すなわち、この請求項６のイージーオープン容器１００は、側壁１２の上部とシールフランジ１１との間に上方側壁１２ｃを積極的に形成して、この上方側壁１２ｃを、図５の（Ａ）に示すような山部及び谷部を形成し、さらに、側壁１２に凸条１２ａ及び凹条１２ｂを形成したものである。
【００５１】
これらの凸条１２ａ及び凹条１２ｂは、図５の（Ａ）に示すように、上方側壁１２ｃ側の山部及び谷部に、境界線１８を介して交互に連なるものであり、図６に示す水切りの際に、側壁１２に形成した凸条１２ａ及び凹条１２ｂに案内されてきた液汁を、漬物等の内容物と分離するものである。また、この側壁１２に形成した凸条１２ａ及び凹条１２ｂ、これらに連なる上方側壁１２ｃの山部及び谷部が交互に形成してあることによって、側壁１２上部の剛性が高くなっており、当該側壁１２を手に持っても変形することがなく、図６に示した水切り操作を安定して行えるのである。
【００５２】
このようにすることにより、漬物等の内容物は、側壁１２と上方側壁１２ｃとの境界部分で止められることになり、液汁だけが外部に排出できるようになるのである。
【００５３】
従って、この請求項６のイージーオープン容器１００は、上記請求項１〜請求項５のそれと同様な機能を発揮する他、液汁の水切りを内容物とは完全に分離しながら行えるものとなっているのである。
【発明の効果】
【００５４】
本発明に係るイージーオープン容器１００においては、
「開口部にシールフランジ１１を有する容器本体１０と、シールフランジ１１上に重ねられるシールフランジ２１を有する蓋体２０とからなり、この蓋体２０を、両シールフランジ１１・２１にてシールしながら容器本体１０に嵌合して一体化するとともに、蓋体２０側に一体化した摘み部２２を利用して開放を行うようにしたイージーオープン容器１００であって、
摘み部２２を、蓋体２０側のシールフランジ２１の外側に、下方に傾斜する傾斜面２３を介して一体的に形成したこと」
にその主たる構成上の特徴があり、これにより、引き剥がしに利用する摘み部２２について、下方に傾斜する傾斜面２３を介して蓋体２０側のシールフランジ２１の外側に一体的に形成したから、梃子の原理が十分適用できる構造となり、容器本体１０に対してシールされた蓋体２０の摘み部２２による引き剥がしをより一層簡単に行うことができるイージーオープン容器１００を簡単な構成によって提供することができたのである。
【発明を実施するための最良の形態】
【００５５】
次に、以上のように構成した各発明を、図面に示した最良の形態であるイージーオープン容器１００について説明する。
【００５６】
このイージーオープン容器１００を構成している容器本体１０及び蓋体２０は、合成樹脂シートに対して真空または圧空成形を施すことによりそれぞれ一体的に形成されるものであり、図１及び図３に示したように、両者はそのシールフランジ１１・２１を互いに嵌合させることにより、つけもの等の収納物のための液密的な密閉空間を形成するものである。
【００５７】
なお、容器本体１０については、図３に示した実施例１のものと、図５に示した実施例２のものとの二種類がある。
【００５８】
各シールフランジ１１・２１は、図１〜図４に示したように、本最良形態では、円環状のものとして形成したものであり、これらのシールフランジ１１・２１は、例えば楕円形状のものにして実施してもよいものである。
【００５９】
また、各シールフランジ１１・２１の外側には、図４に明瞭に示すように、両シールフランジ１１・２１の嵌合状態をより液密的にするための垂下フランジ１１ａ及び垂下フランジ２１ａがそれぞれ一体的に形成してある。つまり、これらの垂下フランジ１１ａ・２１ａは、各シールフランジ１１・２１に略全周でそれぞれ連続しているのであり、特に、蓋体２０側の垂下フランジ２１ａについては、後述する摘み部２２及び傾斜面２３にも連続したものとなっている。
【００６０】
図３に示した実施例１の容器本体１０の側壁１２は、図３にも明瞭に示したように、その断面でみたときの形状が正多角形、つまり本最良形態では、正八角形となるようにしてあり、この側壁１２の上部には、これも正八角形（平面的にみた場合）の環状の蓋載置部１３が形成してある。なお、この蓋載置部１３と側壁１２との境界部分、つまり図３中に示した辺１５に、図３中に示したような状態で多数の凹所リブ１４を形成しておくことがなされる。これらの凹所リブ１４は、側壁１２の剛性を高めるだけでなく、この凹所リブ１４内を液汁が流出することにより、図６に示した「水切り」操作をより確実に行えるようにするものである。
【００６１】
図５に示した実施例２の容器本体１０の側壁１２は、図５の（底面１６）に明瞭に示したように、その断面でみたときの形状が略円形または楕円形、つまり本最良形態では、各谷部１７ａをつないだときに円形となるようにしてあり、この側壁１２の上部には、境界面１８を介して上方側壁１２ｃが形成してある。
【００６２】
この実施例２の容器本体１０の側壁１２においては、容器本体１０の底面１６外周に略波形に形成した境界線１７を介して立ち上げることにより、当該側壁１２に境界線１７の山部１７ａ及び谷部１７ｂに対応した凸条１２ａ及び凹条１２ｂが形成してあるものである。
【００６３】
一方、側壁１２の上部は、各凸条１２ａ及び凹条１２ｂの各上方に位置することになる谷部及び山部を有した上方側壁１２ｃとしてあり、この上方側壁１２ｃはシールフランジ１１の直下に形成されていることになる。そして、この上方側壁１２ｃと側壁１２の上端とは接続面１８によって連続させてある。この接続面１８は、上方側壁１２ｃと側壁１２の上端とを連続させるものであるから、その形状は種々なものがあり、本最良形態では、波形に立ち上がる面と、凸条１２ａ及び凹条１２ｂと上方側壁１２ｃの谷部及び山部とを埋める面との二種類からなっている。
【００６４】
今度は、蓋体２０についてみてみると、前述したシールフランジ２１の内側になっている天板２０ａには、容器本体１０側の蓋載置部１３に対応する形状の凹所２４が形成してある。この凹所２４は、図４に示したように、当該蓋体２０を容器本体１０に嵌合したときに、その底面が載置されることになるものであり、これによっても容器本体１０内の液密性を高めるようにしている。また、この凹所２４を構成している一つの辺が、図１に示したような偏在辺２４ａとなっているのであり、この偏在辺２４ａは、図４にも示したように、天板２０ａの中心に向けて偏在量Ｌだけ偏在させてある。
【００６５】
この蓋体２０の天板２０ａに形成した凹所２４が、容器本体１０の蓋載置部１３の形状に対応していることは、蓋体２０の容器本体１０に対する嵌合時における位置決めを容易にしているのであり、次に述べる摘み部２２の、実施例１に係る容器本体１０の側壁１２側で八角形となっている辺１５の１つに対してその中心位置になるようにするためである。つまり、この凹所２４の偏在辺２４ａは、図４に示したように、容器本体１０側の辺１５から偏在量Ｌだけ偏在しているとともに、この辺１５から他の辺より大きく離れていて、水切りのための開口を大きくするものでもある。
【００６６】
さて、この蓋体２０を構成しているシールフランジ２１の外側には、図１、図２及び図４に示したように、摘み部２２が形成してある。この摘み部２２は、図２に示したように、基本的にはシールフランジ２１の外側にある垂下フランジ２１ａの下端に一体成形したものであるが、側面からみたときに略三角形状を呈する傾斜面２３を介してシールフランジ２１に連続したものである。なお、摘み部２２の表面には、図１及び図４に示したように、凹凸が形成してあり、この凹凸によって当該摘み部２２を摘むときの滑り止めを果たすようにしてある。
【００６７】
傾斜面２３は、その三角形の頂点にあたる部分がシールフランジ２１に対する連続部２３ａとなっているものであり、図２に示すように、その底辺にあたる部分が摘み部２２に連続しているものである。換言すれば、この傾斜面２３は、これを斜め上方からみたときには、略菱形形状を呈しているものである。この菱形の連続部２３ａを挟む２本の辺は、図２に示したように、垂下フランジ２１ａに対して山形に連続しているのであり、他の２本の辺は、図１に示したように、山形形状の摘み部２２と相似形となるように連続しているのである。
【００６８】
この傾斜面２３の連続部２３ａは、最良形態で例示しているような点に近い小さなものであってもよいが、５ｍｍ程度の長さの線であってもよい。
【図面の簡単な説明】
【００６９】
【図１】本発明に係るイージーオープン容器の平面図である。
【図２】図１中の矢印１方向からみた傾斜面の正面図である。
【図３】同イージーオープン容器を構成している容器本体の実施例１を示すもので、（Ａ）は同平面図、（Ｂ）は縦断面図である。
【図４】図２中の２−２線に沿ってみた蓋体と容器本体との部分拡大断面図である。
【図５】同イージーオープン容器を構成している容器本体の実施例２を示すもので、（Ａ）は同平面図、（Ｂ）は縦断面図である。
【図６】本発明に係るイージーオープン容器の蓋体を摘み部により部分的に開放して、この開口を通して水切りを行っている様子を示す部分斜視図である。
【符号の説明】
【００７０】
１００    イージーオープン容器
１０    容器本体
１１    シールフランジ
１１ａ  垂下フランジ
１２    側壁
１２ａ  凸条
１２ｂ  凹条
１２ｃ  上方側壁
１３    蓋載置部
１４    凹所リブ
１５    辺
１６    底面
１７    境界線
１７ａ  山部
１７ｂ  谷部
１８    境界線
２０    蓋体
２０ａ  天板
２１    シールフランジ
２１ａ  垂下フランジ
２２    摘み部
２３    傾斜面
２３ａ  連続部
２４    凹所
２４ａ  偏在辺
Ｌ      偏在量
【図１】
2005082238.tif 000003
【図２】
2005082238.tif 000004
【図３】
2005082238.tif 000005
【図４】
2005082238.tif 000006
【図５】
2005082238.tif 000007
【図６】
2005082238.tif 000008